Podtech/llm-jp-corpus-v4-ja_patent huggingface dataset:
【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
高用量で長期に投与される化学療法剤とその前に、および／または同時に投与される有効量のヒアルロナン（以下、ＨＡと略称）からなり、副作用が緩和または回避される化学療法用薬剤。
【請求項２】
単回投与量が、一般に有効な投与量として認められている量よりも２００％まで高用量であることができ、および／または累積投与量が、一般に有効な投与量として認められている量よりも６００％まで高用量である、請求項１記載の化学療法用薬剤。
【請求項３】
化学療法剤の投与量が、一般に有効な投与量として認められている量よりも約１０％から約１５０％高用量である、請求項２記載の化学療法用薬剤。
【請求項４】
化学療法剤の投与量が、一般に有効な投与量として認められている量よりも約３５％から約１００％高用量である、請求項３記載の化学療法用薬剤。
【請求項５】
ＨＡと化学療法剤が同時に投与される、請求項１から請求項４のいずれかに記載の化学療法用薬剤。
【請求項６】
化学療法剤の投与の約２４時間前から約５分前にＨＡが投与される、請求項１から請求項４のいずれかに記載の化学療法用薬剤。
【請求項７】
化学療法剤の投与の約１２時間前から約１０分前にＨＡが投与される、請求項１から請求項４のいずれかに記載の化学療法用薬剤。
【請求項８】
化学療法剤の投与の約３０分前にＨＡが投与される、請求項１から請求項４のいずれかに記載の化学療法用薬剤。
【請求項９】
有効量のＨＡが１日あたり約０．５ｍｇ／ｋｇ体重から約２０ｍｇ／ｋｇ体重である、請求項１から請求項８のいずれかに記載の化学療法用薬剤。
【請求項１０】
有効量のＨＡが１日あたり約５ｍｇ／ｋｇ体重から約１０ｍｇ／ｋｇ体重である、請求項１から請求項８のいずれかに記載の化学療法用薬剤。
【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
式（１）：
【化１】
2005505671.tif 000001
（式中、
Ｒ1は、式（２）：
【化２】
2005505671.tif 000002
で示される基または式（３）：
【化３】
2005505671.tif 000003
で示される基であり、
Ｒ2は、水素またはＣ1〜Ｃ4アルキルであり、
Ｒ3は、水素またはＣ1〜Ｃ4アルキルである）
で示される染料、および／または式（４）：
【化４】
2005505671.tif 000004
で示される染料、ならびにＵＶ吸収剤を使用することを含む、
着色されたプラスチックまたは着色されたポリマー粒子の製造方法。
【請求項２】
ＵＶ吸収剤として、２−（２′−ヒドロキシフェニル）ベンゾトリアゾール類、２−ヒドロキシベンゾフェノン類、置換もしくは非置換の安息香酸エステル類、アクリレート類、オキサミド類、２−（２−ヒドロキシフェニル）−１，３，５−トリアジン類、レゾルシノールのモノベンゾエート類またはホルムアミジン類の部類に属するＵＶ吸収剤、あるいは式（７）：
【化１０】
2005505671.tif 000005
で示される、２５℃における比重量が１２００〜１４００、好ましくは１３００〜１３５０であるポリエステルＵＶ吸収剤を使用することを含む、請求項１記載の方法。
【請求項３】
プラスチックまたはポリマー粒子を着色するための、請求項１記載の式（１）で示される染料とＵＶ吸収剤の組合せの使用。
【請求項４】
請求項３記載の組合せにより着色されたプラスチックまたはポリマー粒子。
【請求項５】
請求項３記載の組合せにより着色されたポリエチレンテレフタレート（ＰＥＴ）製のビールビン。
【誤訳訂正書】
【提出日】平成17年9月26日(2005.9.26)
【誤訳訂正１】
【訂正対象書類名】特許請求の範囲
【訂正対象項目名】全文
【訂正方法】変更
【訂正の内容】
【特許請求の範囲】
【請求項１】
化学式（I）：
【化１】
2005505615.tif 000001
｛式中、nは1から6までの数で、
R3は水素原子、メチル基あるいはエチル基を表し、nが1より大きい場合はR3によって表される基、または原子は同じものあるいは異なるものであり；
Aは化学式−[O(CHR2CHR1)a]y−、−[O(CH2)bCO]y−、または -[O(CH2)bCO](y-1)-[O(CHR2CHR1)a]-の基を表し、このとき：
R1および R2のうち一つが水素原子で、もう一つは水素原子、メチル基またはエチル基を表し；
aは1から2までの数であり；
bは4から5までの数であり；
Qは2つから6つのヒドロキシ基を有するポリヒドロキシ化合物の残存物であり；またxは1より大きくQに含まれるヒドロキシ基の数以下の数であり；
xが1より大きく2以下の場合、yは1から10までの数であり；
あるいは、
xが2より大きい場合、yは3から10までの数である｝の光開始剤およびそのエステル。
【請求項２】
nが1である請求項1に記載の化合物。
【請求項３】
R3が水素原子を表す請求項2に記載の化合物。
【請求項４】
nが2から6までの数であり、R3の一つが水素原子、メチルまたはエチル基を表し、その他のR3が水素原子を表す請求項1に記載の化合物。
【請求項５】
ｘが２であり、またyが1から10までの数である請求項1から4までのうちいずれか一つに記載の化合物。
【請求項６】
yが3から10までの数である請求項1から5までのいずれかに記載の化合物。
【請求項７】
Aが化学式-[O(CHR2CHR1)a]y-を表し、aが1から2までの整数であり、yが3から10までの数である請求項1から5までのうちいずれか一つに記載の化合物。
【請求項８】
Aが化学式-[OCH2CH2]y-, -[OCH2CH2CH2CH2]y-または-[OCH(CH3)CH2]y-を表し、yが3から10までの数である請求項1から5までのうちいずれか一つに記載の化合物。
【請求項９】
Aが化学式-[O(CH2)bCO]y-を表し、bが4から5までの数であり、yが3から10までの数である請求項1から5までのうちいずれか一つに記載の化合物。
【請求項１０】
Aが化学式-[O(CH2)bCO](y-1)-[O(CHR2CHR1)a]-を表し、aが1から2までの数であり、bが4から5までの数であり、yが3から10までの数である請求項1から5までのうちいずれか一つに記載の化合物。
【請求項１１】
yが3から6までの数である請求項1〜10のいずれか一つに記載の化合物。
【請求項１２】
残存物Q-(A-)xの分子量が2000以下である請求項1〜11のいずれか一つに記載の化合物。
【請求項１３】
残基Q-(A-)xの分子量が1200以下である請求項12に記載の化合物。
【請求項１４】
残基Q-(A-)xの分子量が1000以下である請求項13に記載の化合物。
【請求項１５】
残基Q-(A-)xの分子量が800以下である請求項14に記載の化合物。
【請求項１６】
Qがエチレングリコール、ポリピレングリコール、ブチレングリコール、グリセロール、トリメチロールプロパン、ジトリメチロールプロパン、ペンタエリスリトール、ジペンタエリスリトールの残存物である請求項1〜15のいずれかに記載の化合物。
【請求項１７】
エネルギー硬化型液体組成物で：
（a）少なくとも一つがエチレン不飽和モノマーあるいはオリゴマーである、重合可能な成分；および
（b）請求項1から16のいずれか一つに記載の光開始剤
を含むエネルギー硬化型組成物。
【請求項１８】
ニスである請求項17に記載のエネルギー硬化型液体組成物。
【請求項１９】
印刷用インクである請求項17に記載のエネルギー硬化型液体組成物。
【請求項２０】
請求項17から19までのいずれか一つに記載の組成物を放射線照射することにより硬化された重合体組成物を生成する方法。
【請求項２１】
放射線が紫外線である請求項20に記載の方法。
【誤訳訂正２】
【訂正対象書類名】明細書
【訂正対象項目名】００２０
【訂正方法】変更
【訂正の内容】
【００２０】
上記式中
nは1から6までの数で、
R3は水素原子、メチル基あるいはエチル基を表し、nが1より大きい場合はR3によって表される基、または原子は同じものあるいは互いに異なるものであり；
Aは化学式−[O(CHR2CHR1)a]y−、−[O(CH2)bCO]y−、または -[O(CH2)bCO](y-1)-[O(CHR2CHR1)a]-の基を表し、このとき：
R1および R2のうち一つが水素原子で、もう一つは水素原子、メチル基またはエチル基を表し；
aは1から2までの数であり；
bは4から5までの数であり；
Qは2つから6つのヒドロキシ基を有するポリヒドロキシ化合物の残存物であり；またxは1より大きくQに含まれるヒドロキシ基の数以下の数であり；
xが1より大きく2以下の場合、yは1から10までの数であり；
あるいは、
xが2より大きい場合、yは3から10までの数である。
【誤訳訂正３】
【訂正対象書類名】明細書
【訂正対象項目名】００２５
【訂正方法】変更
【訂正の内容】
【００２５】
一方、nが2から6までの数の時は、R3の一つが水素原子、メチルあるいはエチル基を表し、他のR3が水素原子を表すものが望まれる。
特に好ましい化合物は、ｘが２であり、またｙが1から10までの数である化合物である。
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
少なくとも１つの酸素を有する有機化合物を含有することを特徴とするオキシジェネート及び水を含有するオレフィン流れを処理する方法であって、
オキシジェネート及び水を含有するオレフィン流れを供給する工程と、
オレフィン流れを脱水する工程と、
脱水されたオレフィン流れを圧縮する工程と、
そのオレフィン流れをメタノールで洗滌し、オレフィン流れからオキシジェネートの少なくとも一部を除去する工程と、
そのメタノールで洗滌されたオレフィン流を水と接触させる工程と、及び
その水を接触させたオレフィン流れを分別する工程、
を含む方法。
【手続補正書】
【提出日】平成17年9月12日(2005.9.12)
【手続補正１】
【補正対象書類名】特許請求の範囲
【補正対象項目名】全文
【補正方法】変更
【補正の内容】
【特許請求の範囲】
【請求項１】
式(I)の化合物、またはその薬学的に許容される塩もしくは溶媒和物。
【化１】
2005505618.tif 000001
［式中、
R1は置換されていてもよいフェニル基であり;
R2は水素、C1-6アルキルおよび-(CH2)q-C3-7シクロアルキルから選択され;
R3は-NH-CO-R4基であり;
R4は水素、C1-6アルキル、C1-6アルコキシ、-(CH2)q-C3-7シクロアルキル、トリフルオロメチル、R5および/またはR6で置換されていてもよい-(CH2)rフェニル、R5および/またはR6で置換されていてもよい-(CH2)rヘテロアリール、R5および/またはR6で置換されていてもよい-(CH2)rヘテロシクリル、ならびにR5および/またはR6で置換されていてもよい-(CH2)r縮合ビシクリルから選択され;
R5はC1-6アルキル、C1-6アルコキシ、-(CH2)q-C3-7シクロアルキル、-CONR7R8、-NHCOR8、-SO2NHR7、-NHSO2R8、ハロゲン、-(CH2)sNR9R10、オキシ、トリフルオロメチル、1個以上のR6基で置換されていてもよいフェニル、および1個以上のR6基で置換されていてもよいヘテロアリールから選択され;
R6はC1-6アルキル、C1-6アルコキシ、ハロゲン、トリフルオロメチルおよび-NR9R10から選択され;または
R5およびR6は、それらが結合している炭素原子と一緒になって、5または6員の飽和または不飽和環を形成して縮合二環系を与え、ここでR5およびR6により形成される環は、酸素、窒素および硫黄から選択される1または2個のヘテロ原子を含んでいてもよく;
R7は水素、C1-6アルキルおよびフェニルから選択され、ここでフェニル基は1個以上のR6基で置換されていてもよく;
R8は水素およびC1-6アルキルから選択され;または
R7およびR8は、それらが結合している窒素原子と一緒になって、酸素、硫黄およびN-Rxから選択される追加のヘテロ原子を1個含んでいてもよい5または6員のヘテロ環を形成し、ここでこの環は最大2個のC1-6アルキル基で置換されていてもよく;
Rxは水素およびメチルから選択され;
R9は水素、C1-6アルキル、およびC1-6アルキルで置換されていてもよい-(CH2)q-C3-7シクロアルキルから選択され;
R10は水素およびC1-6アルキルから選択され;または
R9およびR10は、それらが結合している窒素原子と一緒になって、酸素、硫黄およびN-Rxから選択される追加のヘテロ原子を1個含んでいてもよい3〜7員のヘテロ環を形成し、ここでこの環は1個の二重結合を含んでいてもよく、また、この環は1個以上のR11基で置換されていてもよく;
R11はC1-6アルキル、オキシ、-CH2OC1-6アルキル、トリクロロメチルおよび-N(C1-6アルキル)2から選択され;
Uはメチルおよびハロゲンから選択され;
Wはメチルおよびクロロから選択され;
XおよびYはそれぞれ独立して水素、メチルおよびハロゲンから選択され;
mは0、1、2、3および4から選択され、C1-6アルキルから独立して選択される最大2個の基で置換されていてもよく;
nは0、1および2から選択され;
qは0、1および2から選択され;
rは0および1から選択され;
sは0、1、2および3から選択される。］
【請求項２】
R1がハロゲン、C1-4アルキル、トリフルオロメチル、C1-4アルコキシ、ベンジルオキシ、ヒドロキシ、シアノ、-CH2CH2OH、-(CH2)p-NHCH3、-(CH2)p-N(CH3)2、-(CH2)pCONR5R6、-(CH2)pCO2R5、-(CH2)pNR5COR6、-(CH2)pOCOR5、-(CH2)pOCONR5R6、-(CH2)pNR5COOR6、-(CH2)pCOR5、-(CH2)pSO2NR5R6、-(CH2)pNR5SO2R6、-SO2R5、-(CH2)pNR5R6、-(CH2)pNR5CONR5R6および-(CH2)pCONR5SO2R6から選択される1または2個の置換基で置換されており、ここでpは0、1および2から選択され、R5およびR6は水素、C1-4アルキルおよびフェニルから独立して選択される、請求項1記載の化合物。
【請求項３】
R1基がC1-4アルコキシ、ヒドロキシ、-(CH2)pNR10SO2R11および-(CH2)pNR10R11から選択される1または2個の置換基で置換されている、請求項1または2記載の化合物。
【請求項４】
R2が水素、C1-4アルキルおよび-CH2-シクロプロピルから選択される、請求項1〜3のいずれか1項に記載の化合物。
【請求項５】
R2が水素である、請求項4記載の化合物。
【請求項６】
mが0、1および2から選択される、請求項1〜5のいずれか1項に記載の化合物。
【請求項７】
R4がR5および/またはR6で置換されていてもよい-(CH2)rフェニルおよびR5および/またはR6で置換されていてもよい-(CH2)rヘテロアリールから選択される、請求項1〜6のいずれか1項に記載の化合物。
【請求項８】
R4がR5および/またはR6で置換されていてもよい-(CH2)rヘテロアリールである、請求項7記載の化合物。
【請求項９】
実施例1〜17のいずれか1つで規定されたとおりの請求項1記載の化合物、またはその薬学的に許容される塩もしくは溶媒和物。
【請求項１０】
請求項1〜9のいずれか1項に記載の化合物の製造方法であって、
(a)  式(IX)の化合物
【化２】
2005505618.tif 000002
［式中、R1、R2、U、W、X、Y、mおよびnは請求項1で定義したとおりである］
と式(X)の化合物
R4CO2H              (X)
［R4は請求項1で定義したとおりである］
とを、場合によりアミン化合物(IX)と反応させる前に酸化合物(X)を活性化形態に変換して、アミド形成条件下で反応させること、または
(b)  式(XI)の化合物
【化３】
2005505618.tif 000003
［式中、R3、U、W、X、Yおよびnは請求項1で定義したとおりである］
と式(XII)の化合物
R1(CH2)mNR2H                  (XII)
［式中、R1、R2およびmは請求項1で定義したとおりである］
とをアミド形成条件下で反応させること、
を含んでなる上記方法。
【請求項１１】
請求項1〜9のいずれか1項に記載の化合物またはその薬学的に許容される塩もしくは溶媒和物を1種以上の製薬上許容される担体、希釈剤または賦形剤とともに含む医薬組成物。
【請求項１２】
治療に用いるための、請求項1〜9のいずれか1項に記載の化合物またはその薬学的に許容される塩もしくは溶媒和物。
【請求項１３】
p38キナーゼ活性により媒介されるか、またはp38キナーゼの活性により産生されるサイトカインにより媒介される症状または疾患状態の治療に使用するための医薬の製造における、請求項１〜9のいずれか１項に記載の化合物またはその薬学的に許容される塩もしくは溶媒和物の使用。
【手続補正書】
【提出日】平成17年9月15日(2005.9.15)
【手続補正１】
【補正対象書類名】特許請求の範囲
【補正対象項目名】請求項８
【補正方法】変更
【補正の内容】
【請求項８】
工程（ｂ）及び（ｄ）で使用される触媒が、第ＶＩＢ族金属、第ＶＩＩＩ族非貴金属及び耐火性酸化物支持体を含む同じ触媒である請求項５〜７のいずれか１項に記載の方法。
【手続補正２】
【補正対象書類名】特許請求の範囲
【補正対象項目名】請求項１０
【補正方法】変更
【補正の内容】
【請求項１０】
少なくとも工程（ａ）〜（ｂ）が、工程（ａ）及び（ｂ）を行うために多数の触媒積重ね床を有する１つの反応器で行われ、かつガス及び液体は、触媒と接触する時、向流で流れる請求項１〜４のいずれか１項に記載の方法。
【手続補正書】
【提出日】平成16年10月4日(2004.10.4)
【手続補正１】
【補正対象書類名】明細書
【補正対象項目名】特許請求の範囲
【補正方法】変更
【補正の内容】
【特許請求の範囲】
【請求項１】  実質的に水性の乳化液と任意選択により膜形成剤とを含む製品、またはそれらを組み合わせることにより製造される製品であって、
前記乳化液が、フッ化炭化水素シランもしくは前記フッ化炭化水素シランの加水分解物、界面活性剤およびケイ素含有化合物を含むか、またはそれらを組み合わせることにより製造され、
前記フッ化炭化水素シランが、Ｒf−（ＣＨ2）p−Ｓｉ｛−（Ｏ−ＣＨ2ＣＨ2）n−ＯＲ’｝3の式を有し、式中、ＲfはＣ3〜18ペルフルオロアルキル基またはそれらの組み合わせであり、各Ｒ’は独立してＣ1〜3アルキル基またはそれらの組み合わせであり、ｐは１から４（１と４を含む）であり、ｎは２から１０（２と１０を含む）であり、
前記界面活性剤が、１２より大きい、好ましくは１６より大きいＨＬＢ値を有し、
前記ケイ素含有化合物がアミノシラン、エポキシシラン、メルカプトシランまたはそれらの二種以上の組み合わせであり、
前記膜形成剤が二酸化ケイ素、二酸化チタン、二酸化ジルコニウム、有機アルコキシシラン、ポリシラザンまたはそれらの二種以上の組み合わせである
ことを特徴とする製品。
【請求項２】  基板、乳化液および任意選択により前記基板と前記乳化液との間に少なくとも一層の下塗層を含む製品、またはそれらを組み合わせることにより製造される製品であって、
前記乳化液が請求項１に記載のものと同一であり、
前記下塗層が少なくとも１つの膜形成剤を含むか、または少なくとも一種の膜形成剤から製造され、前記膜形成剤が二酸化ケイ素、二酸化チタン、二酸化ジルコニウム、有機アルコキシシラン、ポリシラザンまたはそれらの二種以上の組み合わせであり、
前記基板が、金属、ガラス、セラミックタイル、煉瓦、コンクリート、木材、石積み、繊維、レザー、プラスチックまたは石である
ことを特徴とする製品。
【請求項３】  前記ケイ素含有化合物がＳｉ−Ｒ4の式を有し、Ｒ4は、ＯＣＨ3、ＯＣＨ2ＣＨ3、（ＯＣＨ2ＣＨ2）mＯＣＨ3またはそれらの組み合わせであり、ｍは１から１０（１と１０を含む）であり、前記ケイ素含有化合物は好ましくはＳｉ−（（ＯＣＨ2ＣＨ2）2ＯＣＨ3）4であることを特徴とする請求項１または２に記載の製品。
【請求項４】  前記ケイ素含有化合物が、Ｒ2wＳｉ（ＯＲ3）4-wまたはＲ3Ｒ4xＳｉＲ5y（ＯＲ6）3-(x+y)の式を有し、式中、各Ｒ2は独立して１から１０個の炭素原子を有するアルキル基であり、各Ｒ3は独立して１から３個の炭素原子を有するアルキル基であり、ｗは１から３（１と３を含む）であり、
Ｒ3は、アミノ基、エポキシ基、グリシドキシ基およびチオール基ならびにそれらの二種以上の組み合わせからなる群から選択される官能基を表し、Ｒ4、Ｒ5およびＲ6はそれぞれ独立して１〜５個の炭素原子を有するアルキル基またはアルキル基の混合であり、ｘ＝０〜１、ｙ＝０〜１およびｘ＋ｙ＜２であり、
前記ケイ素含有化合物は好ましくは有機メトキシシランである
ことを特徴とする請求項１、２、または３に記載の製品。
【請求項５】  前記ケイ素含有化合物が、Ｎ−（２−アミノエチル）３−アミノプロピルメチルジメトキシシラン、Ｎ−（２−アミノエチル）３−アミノプロピルトリメトキシシラン、３−アミノプロピルトリエトキシシラン、３−グリシドキシプロピルトリメトキシシラン、３−グリシドキシプロピルメチルジメトキシシラン、３−メルカプトプロピルトリメトキシシランまたはそれらの二種以上の組み合わせであり、
前記フッ化炭化水素シランが、ペルフルオロアルキルエチルトリス（２−（２−メトキシエトキシ）エトキシ）シラン、ペルフルオロアルキルエチルトリス（２−（２−（２−メトキシエトキシ）エトキシ）エトキシ）シランまたはそれらの組み合わせであり、好ましくはＲf−（ＣＨ2）2−Ｓｉ（−（Ｏ−ＣＨ2ＣＨ2）2−ＯＣＨ3）3であり、式中、ＲfはＦ（ＣＦ2）kＣＨ2ＣＨ2であり、ｋ＝６〜１８である
ことを特徴とする請求項４に記載の製品。
【請求項６】  前記界面活性剤が、Ｒf’−ＣＨ2ＣＨ2−Ｏ−（ＣＨ2ＣＨ2Ｏ）11−Ｈ、Ｃ9Ｈ19−Ｃ6Ｈ4−Ｏ−（ＣＨ2ＣＨ2Ｏ）50−Ｈ、Ｒf’−ＣＨ2ＣＨ2ＳＣＨ2ＣＨ（ＯＨ）ＣＨ2Ｎ（ＣＨ3）3+Ｃｌ-、Ｃ12Ｈ25（ＯＣＨ2ＣＨ2）4ＯＳＯ3-ＮＨ4+、Ｃ12Ｈ27−Ｃ6Ｈ4−ＳＯ3-Ｎａ+またはそれらの組み合わせであり、
Ｒf’は３から１８個の炭素原子を有するペルフルオロアルキル基であり、
前記乳化液のｐＨが（１）４．５以下または（２）７以上である
ことを特徴とする請求項５に記載の製品。
【請求項７】  （１）請求項１、２、３、４、５または６に記載の乳化液を生成する工程と、（２）前記乳化液を基板に被着させる工程とを含む方法であって、
前記乳化液が、水中で界面活性剤を接触させて界面活性剤−水混合物を生成する工程と、
前記界面活性剤−水混合物をフッ化炭化水素シランと接触させてシラン−界面活性剤混合物を生成する工程と、
前記シラン−界面活性剤混合物のｐＨを任意選択により調節してｐＨ調節された混合物を生成する工程と、
前記シラン−界面活性剤混合物または前記ｐＨ調節された混合物をケイ素含有化合物と接触させて前記乳化液を生成する工程
によって製造され、
前記基板が該基板上に下塗層を被覆しており、前記基板が請求項２に記載の基板であり、前記下塗層が請求項２に記載の少なくとも１つの膜形成剤を含むか、または少なくとも１つの該膜形成剤から製造される
ことを特徴とする方法。
【請求項８】  （１）基板表面を少なくとも１つの膜形成剤と接触させて該基板上に下塗層を有する下塗された基板を生成する工程と、（２）前記下塗された基板を乳化液と接触させる工程とを含む方法であって、
前記膜形成剤が請求項１、２、３、４、５または６に記載の膜形成剤であり、前記乳化液が請求項２に記載の乳化液であり、前記基板が請求項２に記載の基板であることを特徴とする方法。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
遊離ヒドロキシル末端基を有するポリカーボネートと末端封鎖剤とを含む混合物を溶融エステル交換反応で処理してポリカーボネート樹脂を製造する段階を含んでなる末端封鎖ポリカーボネート樹脂の製造方法であって、末端封鎖剤が
（ａ）対称活性化芳香族カーボネートの１種以上、及び
（ｂ）対称又は非対称非活性化芳香族カーボネートの１種以上
の混合物を含んでおり、末端封鎖剤がポリカーボネートの遊離ヒドロキシル末端基の少なくとも一部と反応して末端封鎖ポリカーボネート樹脂を生成させる、方法。
【請求項２】
末端封鎖剤が活性化芳香族カーボネートと非活性化芳香族カーボネートとを１０：９０〜９０：１０の比で含む、請求項１記載の方法。
【請求項３】
末端封鎖剤が、末端封鎖剤中の総カーボネートと遊離ヒドロキシル末端基とのモル比が０．５〜２．０となる量で添加される、請求項１又は請求項２記載の方法。
【請求項４】
末端封鎖剤が、対称活性化芳香族カーボネートとして以下の式の化合物を含む、請求項１記載の方法。
【化１】
2005505651.tif 000001
（式中、Ｒは電気陰性置換基である。）
【請求項５】
電気陰性置換基Ｒがニトロ基、ハロ基又はカルボニル含有基から選択される、請求項４記載の方法。
【請求項６】
電気陰性置換基Ｒがメトキシカルボニル、エトキシカルボニル、プロポキシカルボニル、フェニルカルボニル、フェノキシカルボニル及びベンジルオキシカルボニルから選択される、請求項５記載の方法。
【請求項７】
末端封鎖剤が、対称非活性化芳香族カーボネートとして次式の化合物を含む、請求項１又は請求項４記載の方法。
【化２】
2005505651.tif 000002
（式中、Ｒ2は水素、Ｃ1〜Ｃ36アルキル、Ｃ1〜Ｃ36アルコキシ基、Ｃ6〜Ｃ36アリール、Ｃ7〜Ｃ36アラルキル及びＣ7〜Ｃ36アラルキルオキシからなる群から選択され、ｎは１〜５の整数から選択される。）
【請求項８】
末端封鎖剤が、対称非活性化芳香族カーボネートとして、ジフェニルカーボネート、ジ−ｐ−クミルフェニルカーボネート、ジ−（ｔｅｒｔ−ブチルフェニル）カーボネート、ジ−（オクタデシルフェニル）カーボネート、ジ−（ノニルフェニル）カーボネート、ジ−（ドデシルフェニル）カーボネート、ジ−（３−ペンタデシルフェニル）カーボネート（カルダノールカーボネートともいう）及びジ−（オクタデシルフェニル）カーボネートから選択される化合物を含む、請求項７記載の方法。
【請求項９】
（ａ）対称活性化芳香族カーボネートの１種以上と、
（ｂ）対称非活性化芳香族カーボネートの１種以上と
の、適宜溶媒中での、混合物から実質的になる末端封鎖剤。
【請求項１０】
当該末端封鎖剤が、対称活性化芳香族カーボネートとして以下の式の化合物を含む、請求項９記載の末端封鎖剤。
【化３】
2005505651.tif 000003
（式中、Ｒは電気陰性置換基である。）
【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
平均分子量が少なくとも８，０００であり、洗浄剤の０．２乃至５重量％である、酸化エチレン／酸化プロピレンブロック共重合体と、
乳酸、スルファミン酸、クエン酸、吉草酸、ヘキサン酸、及びグリコール酸から成る群から選択される、１０重量％未満の有機酸と、
担体と、
を含み、
洗浄剤にはアニオン性界面活性剤が含まれない、
硬質表面用抗菌性洗浄剤。
【手続補正書】
【提出日】平成17年10月12日(2005.10.12)
【手続補正１】
【補正対象書類名】特許請求の範囲
【補正対象項目名】全文
【補正方法】変更
【補正の内容】
【特許請求の範囲】
【請求項１】
有効量のロスバスタチンまたはその薬学的に許容される塩を含む痴呆を発症する危険のある患者の痴呆を防止するための医薬。
【請求項２】
痴呆を発症する危険のある患者に投与する医薬の製造のためのロスバスタチンまたはその薬学的に許容される塩の使用。
【手続補正書】
【提出日】平成17年8月24日(2005.8.24)
【手続補正１】
【補正対象書類名】特許請求の範囲
【補正対象項目名】全文
【補正方法】変更
【補正の内容】
【特許請求の範囲】
【請求項１】
リポソームからの活性剤の放出が標的における活性剤の最適効果を得るための期間にわたり維持される放出プロファイルを有するように設計されている活性剤の標的への伝達用のリポソーム調剤の製造方法であって、この方法が
リポソームに該活性剤および選択された対イオンを充填し、該イオンおよび該活性剤が一緒に相互作用してリポソーム内で集塊化しおよび／または沈澱を形成し、ここで対イオンがリポソームからの活性剤の放出が該放出プロファイルを有するように選択されるリポソーム調剤を製造することを含む、リポソーム調剤の製造方法。
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
健康データを格納するデータベース（４）を各々に有する一つまたは幾つかの中央局（３）と、
前記中央データベース（４）から健康データを検索するため、および／または前記中央データベース（４）に健康データをアップロードするために、前記データベース（４）に接続された端末装置（１）と、
を備えた、それぞれの患者の個人識別データおよび対応する健康データを含む患者データを処理するためのデータ処理システムにおいて、
健康データＧＤが個人識別データへの割当無しに前記中央データベース（４）に格納され、それぞれの患者の健康データセットにデータ記録識別コード（ＤＩＣ）が割り当てられ、健康データセットの検索には対応するデータ記録識別コードの入力が必要である、
ことを特徴とするデータ処理システム。
【請求項２】
ＤＩＣが、電子患者カード（５）に格納された患者カードコード（５ａ）および患者によって入力される個人識別コード（ＰＩＮ）を含むことを特徴とする、請求項１に記載のデータ処理システム。
【請求項３】
ＤＩＣが、電子患者カード（５）に格納された患者カードコード（５ａ）および健康専門化識別コード（６ａ）を含むことを特徴とする、請求項１または２に記載のデータ処理システム。
【請求項４】
ＤＩＣの暗号化転送のための手段および／または中央データベースから検索された健康データの暗号化転送のための手段を特徴とする、請求項２または３に記載のデータ処理システム。
【請求項５】
データ入力コードが時間によって制限され、健康データを検索するときに、該コードが前記中央システム（３）によってそれぞれの健康データと一緒に要求端末装置（１）に送信されることを特徴とする、請求項１ないし４のいずれか一項に記載のデータ処理システム。
【請求項６】
前記患者カードが患者識別画像（５ｂ）を含むことを特徴とする、請求項２ないし５のいずれか一項に記載のデータ処理システム。
【請求項７】
前記中央システム（３）が、前記中央データベース（４）から物理的に離れた偽名化コンピュータ（７）を含み、該偽名化コンピュータが一方に個人識別データおよび他方に対応するＤＩＣの割当テーブルを含み、それが対応する個人識別データと一緒に入力された健康データを受け取り、個人識別データを対応するＤＩＣに置換し、健康データを対応するＤＩＣと一緒に前記中央データベース（４）にファイルするために出力することを特徴とする、請求項１ないし６のいずれか一項に記載のデータ処理システム。
【請求項８】
前記中央システムが、前記偽名化コンピュータ（７）から物理的に離れた入力サーバ（８）を含み、そこに前記端末装置（１）がオンラインリンク（９）を介して接続され、前記入力サーバが前記端末装置によって送信されたデータを、前記偽名化コンピュータ（７）へのオフライン転送のためにその出力側に提供することを特徴とする、請求項７に記載のデータ処理システム。
【請求項９】
それぞれの患者の健康データの選択可能な部分が直接検索できるように前記患者カードに格納されることを特徴とする、請求項２ないし８のいずれか一項に記載のデータ処理システム。
【請求項１０】
各患者の健康データの少なくとも緊急関連部分の許可検索ができるように緊急通報センタを前記中央局に接続し、健康専門家が健康データの許可された緊急読出しを要求するために、前記緊急通報センタで健康専門家を認証するための認証手段を設けることを特徴とする、請求項１ないし９のいずれか一項に記載のデータ処理システム。
【手続補正書】
【提出日】平成17年9月8日(2005.9.8)
【手続補正１】
【補正対象書類名】特許請求の範囲
【補正対象項目名】請求項１０
【補正方法】変更
【補正の内容】
【請求項１０】
再生装置から受信され少なくとも１つの秘密情報を用いてセキュリティ機構によって保護される基本コンテンツをレンダリングするよう適合されたコンピュータプログラムであって、
前記プログラムは前記少なくとも１つの秘密情報を用いて前記基本コンテンツを取得する条件付きアクセス手段と、前記基本コンテンツに関連する追加コンテンツをサーバから受信する受信手段とを含み、
前記追加コンテンツは、前記基本コンテンツを保護するのに用いられるのと同じ秘密情報のうちの少なくとも１つを用いて、前記基本コンテンツと同じセキュリティ機構によって保護され、前記条件付きアクセス手段は前記少なくとも１つの秘密情報を用いて前記追加コンテンツを取得するよう配置されることを特徴とする、コンピュータプログラム。
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
バイトコードをネイティブコードにコンパイルする方法であり、
前記バイトコードを含むバイトコードファイルをサーバから受信端末に送信するステップと、
前記バイトコードファイルのグループ分けに関するグループ分け情報を前記受信端末に送信するステップと、
前記受信端末において受信された前記バイトコードファイルをネイティブコードにコンパイルするステップと、
を有する方法であって、
前記バイトコードファイルが、前記バイトコードファイルの前記グループ分けに応じてコンパイルのために選択される方法。
【請求項２】
前記グループ分け情報が、送信のための前記バイトコードファイルのグループ分けに関する、請求項１に記載の方法。
【請求項３】
前記コンパイルのために選択されたバイトコードファイルは、同じグループで送信された他のバイトコードファイルの翻訳、コンパイル又は実行のいずれかが行われるとコンパイルのために選択される、請求項２に記載の方法。
【請求項４】
前記グループ分け情報が、デジタルビデオ放送のマルチメディア・ホーム・プラットフォーム規格のデジタル・ストレージ・メディア・コマンド・アンド・コントロール（ＤＳＭ−ＣＣ）プロトコルを使用して規定される、請求項２又は請求項３に記載の方法。
【請求項５】
前記グループ分け情報が、前記サーバに記憶された場合の前記バイトコードファイルのディレクトリ構造に関し、これにより単一のグループが、単一のディレクトリに関する、請求項１に記載の方法。
【請求項６】
前記グループ分け情報が、それぞれのバイトコードファイルのファイル名に追加されたファイル位置を有する、請求項５に記載の方法。
【請求項７】
前記コンパイルのために選択されたバイトコードファイルは、同じディレクトリに属する他のバイトコードファイルの翻訳、コンパイル又は実行が行われるとコンパイルのために選択される、請求項５又は請求項６に記載の方法。
【請求項８】
前記グループ分け情報が、前記バイトコードファイルを前記受信端末に記憶するために使用されるディレクトリ構造を規定し、これにより単一のグループが、単一のディレクトリに関係する、請求項１に記載の方法。
【請求項９】
前記グループ分け情報が、それぞれのバイトコードファイルのファイル名に追加されたファイル位置を有する、請求項８に記載の方法。
【請求項１０】
前記コンパイルのために選択されたバイトコードファイルは、同じディレクトリに属する他のバイトコードファイルの翻訳、コンパイル又は実行が行われるとコンパイルのために選択される、請求項８又は請求項９に記載の方法。
【請求項１１】
前記サーバが、放送カルーセルを使用してバイトコードファイルを前記受信端末に送信する、請求項１ないし１０の何れか一項に記載の方法。
【請求項１２】
前記コンパイルのために選択されたバイトコードファイルが、後の実行のためにコンパイル後にメモリにキャッシュされる、請求項１ないし１１の何れか一項に記載の方法。
【請求項１３】
前記バイトコードが、Ｊａｖａ（登録商標）バイトコードである、請求項１ないし１２の何れか一項に記載の方法。
【請求項１４】
バイトコードを含むバイトコードファイルを受信端末に送信するように構成された送信器と、前記バイトコードファイルのグループ分けに関するグループ分け情報とを有するサーバであって、前記グループ分け情報が、特に、バイトコードファイルのグループを特定する目的のために送信され、これにより前記バイトコードファイルが、前記バイトコードファイルの前記グループ分けに応じてネイティブコードへのコンパイルのために選択されるサーバ。
【請求項１５】
前記グループ分け情報が、前記サーバに記憶された場合の前記バイトコードファイルのディレクトリ構造に関し、これにより単一のグループが、単一のディレクトリに関する、請求項１４に記載のサーバ。
【請求項１６】
前記グループ分け情報が、それぞれのバイトコードファイルのファイル名に追加されたファイル位置を有する、請求項１５に記載のサーバ。
【請求項１７】
放送カルーセルを使用して前記バイトコードファイルを前記受信端末に送信するように構成された請求項１４ないし１６の何れか一項に記載のサーバ。
【請求項１８】
前記バイトコードが、Ｊａｖａ（登録商標）バイトコードである、請求項１４ないし１７の何れか一項に記載のサーバ。
【請求項１９】
受信端末であり、バイトコードを含むバイトコードファイル及び前記バイトコードファイルのグループ分けに関するグループ分け情報の両方をサーバから受信するように構成された受信器と、前記受信端末において受信された前記バイトコードファイルをネイティブコードにコンパイルするコンパイラとを有する受信端末であって、前記バイトコードファイルが、前記バイトコードファイルの前記グループ分けに応じてコンパイルのために選択される受信端末。
【請求項２０】
前記グループ分け情報が、前記受信器により受信された場合の前記バイトコードファイルの前記グループ分けに関する、請求項１９に記載の受信端末。
【請求項２１】
前記コンパイルのために選択されたバイトコードファイルは、同じグループ内の他のバイトコードファイルの翻訳、コンパイル又は実行のいずれかが行われるとコンパイルのために選択される、請求項２０に記載の受信端末。
【請求項２２】
前記グループ分け情報が、デジタルビデオ放送のマルチメディア・ホーム・プラットフォーム規格のデジタル・ストレージ・メディア・コマンド・アンド・コントロール（ＤＳＭ−ＣＣ）プロトコルを使用して規定される、請求項２０又は請求項２１に記載の受信端末。
【請求項２３】
前記グループ分け情報が、前記バイトコードファイルを前記受信端末に記憶するために使用されるディレクトリ構造を規定し、これにより単一のグループが、単一のディレクトリに関する、請求項１９に記載の受信端末。
【請求項２４】
前記グループ分け情報が、それぞれのバイトコードファイルのファイル名に追加されたファイル位置を有する、請求項２３に記載の受信端末。
【請求項２５】
前記コンパイルのために選択されたバイトコードファイルは、同じディレクトリに属する他のバイトコードファイルの翻訳、コンパイル又は実行が行われるとコンパイルのために選択される、請求項２３又は請求項２４に記載の受信端末。
【請求項２６】
前記コンパイルのために選択されたバイトコードファイルが、後の実行のためにコンパイル後にメモリにキャッシュされる、請求項１９ないし２５の何れか一項に記載の受信端末。
【請求項２７】
前記バイトコードが、Ｊａｖａ（登録商標）バイトコードである、請求項１９ないし２６の何れか一項に記載の受信端末。
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
クライアントアプリケーションからサーバーリソースへの要求を受け取り、処理するためのシステムであって、
サーバーリソースにアクセスすることについてのクライアントからの要求を受け取るサーバー要求インターフェースと、
前記要求のための非同期入力ロジックに応対するスレッドの非同期プールを含む、前記サーバーのスレッドモデルと、
前記サーバーリソースにアクセスすることについての要求をキューに入れるように構築された、複数の実行キューと、
を備え、各実行キューは、スレッドのプールを割り当てられて、前記実行キューから要求を引き出し、前記要求を前記サーバーリソースに対して実行し、
リソース毎に構築された発送ポリシー、
をさらに設けられ、前記非同期入力ロジックにおいて入力を受け取った時、前記スレッドの非同期プールが前記発送ポリシーを使って、前記要求を、前記実行キューのうちの選択された一つのキューに発送し、各実行キューと関連付けられる前記スレッドのプールが、前記サーバーリソースに対して、前記要求を実行することを特徴とするシステム。
【請求項２】
前記要求が、前記リソースにアクセスするときにクライアントアプリケーションに提供すべきサービスの品質を指定するようになった、
請求項１記載のシステム。
【請求項３】
各リソースについて、多重実行キューを構成することができる
請求項１記載のシステム。
【請求項４】
前記サーバーが、前記発送ポリシーにより、直接発送又はキュー待ち発送のいずれかを指定する、
請求項１記載のシステム。
【請求項５】
前記リソースがサーブレットである請求項１記載のシステム。
【請求項６】
前記リソースがJavaサーブレットページである請求項１記載のシステム。
【請求項７】
前記リソースが個々の実行キューの名前に対応付けられる請求項１記載のシステム。
【請求項８】
各実行キューにおける前記スレッドのプールを、その実行キューに関連する要求の優先順位付けを可能とするように構成することができる、
請求項１記載のシステム。
【請求項９】
クライアントアプリケーションからサーバーリソースへの要求を受け取り、かつ処理するための方法であって、
サーバーリソースにアクセスすることについてのクライアントからの要求を受け取るステップと、
スレッドの非同期プールにより、前記要求のための非同期入力ロジックに応対するステップと、
前記スレッドの非同期プールによって、前記非同期入力ロジックにおいて、入力を受け取るステップと、
前記スレッドの非同期プールによって、各要求を、複数の実行キューの中の一つのキューに入れるステップと、
を含み、前記実行キューに入れるステップが、前記実行キューの中の選択された一つのキューに特定の要求を入れるようリソース毎に構築される発送ポリシーに従って、前記サーバーリソースへのアクセスの要求をキューに入れるように構成され、各実行キューが、スレッドのプールを割り当てられて、前記実行キューから要求を引き出し、前記要求を前記リソースに対して実行することを特徴とする方法。
【請求項１０】
前記要求が、前記リソースにアクセスするときに前記クライアントアプリケーションに提供すべきサービスの品質を指定するようになった、
請求項９記載の方法。
【請求項１１】
各リソースについて、多重実行キューを構成することができる、
請求項９記載の方法。
【請求項１２】
前記クライアントアプリケーションが、直接発送又はキュー待ち発送のいずれかを指定する、
請求項９記載の方法。
【請求項１３】
前記リソースがサーブレットである請求項９記載の方法。
【請求項１４】
前記リソースがJavaサーブレットページである請求項９記載の方法。
【請求項１５】
前記リソースが個々の実行キューの名前に対応付けられる請求項９記載の方法。
【請求項１６】
各実行キューにおける前記スレッドのプールを、その実行キューに関連する要求の優先順位付を可能とするように構成することができる、
請求項９記載の方法。
【手続補正書】
【提出日】平成17年9月29日(2005.9.29)
【手続補正１】
【補正対象書類名】特許請求の範囲
【補正対象項目名】全文
【補正方法】変更
【補正の内容】
【特許請求の範囲】
【請求項１】
JavaサーブレットとHTTPクライアントとの間の非同期メッセ−ジングのためのシステムであって、
サーブレットコンテナ、サーブレット、及びサーブレット応答ハンドラを含むサーバと、
HTTPクライアントから要求を受け取り、かつHTTPクライアントへ応答を送る前記サーブレットコンテナにおけるHTTPインターフェースと、
を備え、前記サーブレットコンテナによって、前記HTTPクライアントからの要求が前記サーブレットに送られ、及び、
前記サーブレットコンテナから要求を受け取り、前記サーブレット応答ハンドラを介して、一部分の応答データを即座に返して、前記サーブレット応答ハンドラを、完全な応答を待つことから解放し、
後続の応答で使用される応答コードをセットし、
前記応答ハンドラを解放して、前記HTTPクライアント、又は他のHTTPクライアントからの後続の要求の処理を挟み込み、及び、
要求された情報を特定し、前記応答コードをリセットし、かつ、前記サーブレット応答ハンドラを介して、前記情報を前記HTTPクライアントに送ることにより、前記元の要求を続いて処理する、
ことを含む、前記サーブレットが前記要求を処理する責務を負うこと、を特徴とするシステム。
【請求項２】
前記サーブレットの次に続く応答が、更なる応答データを送る応答コマンドによりトリガされる、
請求項1記載のシステム。
【請求項３】
前記応答コマンドがJMSメッセージである、請求項2記載のシステム。
【請求項４】
前記サーブレット及びサーブレット応答ハンドラの機能が、JSPタグライブラリを介してユーザーに公開される、
請求項1記載のシステム。
【請求項５】
前記JSPタグライブラリが、どのHTTP応答データを即座に返すべきか、及びどの応答データを後で返すべきかを示すために使用される、
請求項4記載のシステム。
【請求項６】
JSP実行状況のサポートをさらに備える請求項4記載のシステム。
【請求項７】
JavaサーブレットとHTTPクライアントとの間の非同期メッセ−ジングのための方法であって、
サーブレットコンテナ内に収容されたサーブレットにアクセスするための、HTTPクライアントからの要求を受け取るステップと、
前記サーブレットコンテナから、前記サーブレットにおいて要求を受け取り、サーブレット応答ハンドラを介して、即座に一部分の応答データを返して、前記サーブレット応答ハンドラを、完全な応答を待つことから解放し、
後続の応答で使用される応答コードをセットし、
前記応答ハンドラを解放して、前記HTTPクライアント、又は他のHTTPクライアントからの後続の要求の処理を挟み込み、
要求された情報を特定し、前記応答コードをリセットし、かつ、前記サーブレット応答ハンドラを介して、前記HTTPクライアントに前記情報を送ることにより、前記元の要求を続いて処理する
ステップを含む、前記要求に非同期的に応答するステップと、
を含むことを特徴とする方法。
【請求項８】
前記サーブレットの次に続く応答が、更なる応答データを送る応答コマンドによりトリガされる、
請求項7記載の方法。
【請求項９】
前記応答コマンドがJMSメッセージである、請求項8記載の方法。
【請求項１０】
前記サーブレット及びサーブレット応答ハンドラの機能が、JSPタグライブラリを介してユーザに公開される、
請求項7記載の方法。
【請求項１１】
前記JSPタグライブラリが、どのHTTP応答データを即座に返すべきか、及びどの応答データを後で返すべきかを示すために使用される、
請求項10記載の方法。
【請求項１２】
JSP実行状況のサポートをさらに備える請求項10記載のシステム。
【請求項１３】
serviceメソッドが戻ることを可能にし、かつ、前記応答を送る準備ができる前に、前記serviceメソッドを処理するスレッドを使える状態にすることを可能にする前記httpインターフェースへの拡張を、前記システムが含む
ことを特徴とする請求項1に記載のシステム。
【請求項１４】
Javaメッセージングサービスをさらに含み、
サーブレットを実行するとき、応答の一部を構築し、前記データを要求するJMSメッセージをキューに入れ、かつ、前記応答コードとして応答オブジェクトを作成し、後で、前記要求されたデータを含む更なるJMSメッセージが到着した時、前記応答オブジェクトが検索される、
ことを特徴とする請求項1に記載のシステム。
【請求項１５】
前記システムは、後続の応答を送るための時間tをセットし、前記時間tの後、前記サーブレットが、前記応答ハンドラに送信信号を送り、次に、前記サーブレットコンテナに送信応答信号を送って、前記応答を前記クライアントに送る
ことを特徴とする請求項1に記載のシステム。
【請求項１６】
前記システムを使って、ウェブページのユーザに、探索機能範囲内の情報を提供し、かつ、前記システムは、前記ユーザの画面に、情報の一部分の項目を提供するが、これに対して、情報の他の項目は、前記サーブレットが適切なデータを見つけ、前記データを返す時、前記ユーザの画面に、引き続いて返される
ことを特徴とする請求項1に記載のシステム。
【請求項１７】
serviceメソッドが戻ることを可能にし、かつ、前記応答を送る準備ができる前に、前記serviceメソッドを処理するスレッドを使える状態にすることを可能にするhttpインターフェースへの拡張を提供するステップ、
をさらに含むことを特徴とする請求項7に記載の方法。
【請求項１８】
Java Messaging Serviceを使用するステップをさらに含み、
サーブレットを実行するとき、応答の一部を構築し、前記データを要求するJMSメッセージをキューに入れ、及び、後で前記要求されたデータを含む更なるJMSメッセージが到着したときに検索される応答オブジェクトを、前記応答コードとして作成することを含む、
ことを特徴とする請求項7に記載の方法。
【請求項１９】
後続の応答を送るための時間tをセットし、前記時間tの後、前記サーブレットによって、前記応答ハンドラに送信信号を送り、次に、前記サーブレットコンテナに送信応答信号を送って、前記クライアントに前記応答を送る、
ステップをさらに含むことを特徴とする請求項7に記載の方法。
【請求項２０】
前記方法を使用して、ウェブページのユーザに、探索機能範囲内の情報を提供し、及び、前記方法が、情報の一部の項目を前記ユーザの画面に提供するが、これに対して、情報の他の項目は、前記サーブレットが適切なデータを見つけ、前記データを返す時に、前記ユーザの画面に引き続いて返される、
ことを特徴とする請求項7に記載の方法。